(57)【要約】【課題】スポーツ、リハビリ、遊戯室の分野で好適に使用される衝撃吸収性マットを提供することにある。【解決手段】ＥＶＡ樹脂またはＥＶＡ樹脂をベースとし、ＥＶＡ樹脂と相溶性のある樹脂をブレンドした樹脂製の伸縮性を有する線条からなる三次元立体網目構造体からなり、該線条の直径が０．５〜１ｍｍ、該三次元立体網目構造体の目付量が１立方ｍあたり５０〜１００ｋｇとなされて衝撃吸収性マットが作成されてなるので、柔軟性と適度の反発弾性を有し、運動マット、リハビリ器具の敷物、保育所や商業施設などの遊戯スペースの敷物などに好適に使用される。【選択図】図２
2011110411.tif 000002
【特許請求の範囲】
【請求項１】
ＥＶＡ樹脂またはＥＶＡ樹脂をベースとし、ＥＶＡ樹脂と相溶性のある樹脂をブレンドした樹脂製の伸縮性を有する線条からなる三次元立体網目構造体からなり、該線条の直径が０．５〜１ｍｍ、該パネルの目付量が１立方ｍあたり５０〜１００ｋｇとなされたことを特徴とする衝撃吸収性マット。
【請求項２】
三次元立体網目構造体が、カバーで覆われてなる請求項１記載の衝撃吸性マット。
【発明の詳細な説明】
【技術分野】
【０００１】  本発明はスポーツ、リハビリ、遊戯スペースの分野で使用される衝撃吸収性マットに関する。
【背景技術】
【０００２】  従来、たとえば特開２００６−２２４４５３号公報（特許文献１）に、複数の伸縮性を有する線条が立体的に不規則に絡まって部分的に溶着された立体網状構造体かなる跳躍具が記載されている。
【特許文献１】特許公開２００５−２２４４５３号公報
【発明の開示】
【発明が解決しようとする課題】
【０００３】  しかしながら、特許文献１の場合、トランポリンのように高反発力を有する跳躍具であり、スポーツ、リハビリ、遊戯スペースの分野で使用するには反発力が大きすぎ不適切であった。
【課題を解決するための手段】
【０００４】  上記課題を解決するため、本発明衝撃吸収性マットは、ＥＶＡ樹脂またはＥＶＡ樹脂をベースとし、ＥＶＡ樹脂と相溶性のある樹脂をブレンドした樹脂製の伸縮性を有する線条からなる三次元立体網目構造体からなり、該線条の直径が０．５〜１ｍｍ、該三次元立体網目構造体の目付量が１立方ｍあたり５０〜１００ｋｇとなされたものである。【０００５】  また第２の課題解決手段は、三次元立体網目構造体がカバーで覆われてなるものである。【０００６】  上記第１の課題解決手段による作用は、本発明衝撃吸収性マットが、ＥＶＡ樹脂またはＥＶＡ樹脂をベースとし、ＥＶＡ樹脂と相溶性のある樹脂をブレンドした樹脂製の伸縮性を有する線条からなる三次元立体網目構造体からなり、該線条の直径が０．５〜１ｍｍ、該パネルの目付量が１立方ｍあたり５０〜１００ｋｇとなされたものであるので、該衝撃吸収性マットからなる運動マットは軽量で小学生でも運搬が容易であり、かつ前屈回転や跳び箱の着地用等に使用しても従来の運動マットより柔軟で安全である。【０００７】  また、病院での歩行訓練などのリハビリ器具の敷物として転倒時の安全性、バランス感覚の機能向上などにも使用できる。【０００８】  さらに保育所や商業施設などの遊技スペースの敷物に使用した場合、乳幼児が転倒しても安全である。【０００９】  上記第４の課題解決手段による作用は、三次元立体網目構造体がカバーで覆われてなるので、衝撃吸収性マットを長期間使用しても三次元立体網目構造体が損傷せず長期間の使用に耐えるとともに、カバーをはずして洗浄が容易であり、衛生的である。
【発明の効果】
【００１０】  以上詳述したように、本発明衝撃吸収性マットは、ＥＶＡ樹脂またはＥＶＡ樹脂をベースとし、ＥＶＡ樹脂と相溶性のある樹脂をブレンドした樹脂製の伸縮性を有する線条からなる三次元立体網目構造体からなり、該線条の直径が０．５〜１ｍｍ、該三次元立体網目構造体の目付量が１立方ｍあたり５０〜１００ｋｇとなされたものであるので、該衝撃吸収性マットは柔軟性と適度の反発弾性を有し、運動マットとした場合は軽量で小学生でも運搬が容易であり、かつ前屈回転や跳び箱の着地用等に好適に使用できる。【００１１】  また、病院での歩行訓練などのリハビリ器具の敷物として転倒時の安全性、バランス感覚の機能向上などに使用できる。【００１２】  さらに保育所や商業施設などの遊技スペースの敷物に使用した場合、乳幼児が転倒しても安全である。【００１３】  さらにまた本発明衝撃吸収性マットは、三次元立体網目構造体がカバーで覆われてなるので、衝撃吸収性マットを長期間使用しても三次元立体網目構造体が損傷せず長期間の使用に耐えるとともに、カバーをはずして洗浄が容易であり、衛生的である。
【発明を実施するための最良の形態】
【００１４】  以下本発明本発明衝撃吸収性マットの一実施形態を図１を参照して説明する。【００１５】  図１においてＡは本発明衝撃吸収性マットであって、ＥＶＡ樹脂またはＥＶＡ樹脂をベースとし、ＥＶＡ樹脂と相溶性のある樹脂をブレンドした樹脂製の伸縮性を有する線条１１からなる三次元立体網目構造体１からなる。【００１６】  三次元立体網目構造体１はＥＶＡ樹脂単独、またはＥＶＡ樹脂と相溶性のあるポリエチレン、ポリプロピレンなどのオレフィン系樹脂が使用され、この原料を１０００〜３０００本の素麺状の線条に押出成形し、押出し直後の温度の高いうちに多数の線条を屈曲させるとともに互いに乾麺状に絡ませて各線条の接点を溶着して三次元立体網目構造とし、これを０．５〜１０ｍの長さに裁断して三次元立体網目構造体とする。線条１本あたりの直径は０．５〜１ｍｍが適当であるが、とくに０．７〜０．９ｍｍの範囲が好ましいものの、この範囲よりも細くても太くてもよく、またパネルの厚さは１０〜５０ｃｍ程度が好適である。また三次元立体網目構造の密度は通常１立方ｍあたり５０〜１００ｋｇ程度が適当であるが、とくに１立方ｍあたり６８〜８０ｋｇが好ましいもののこの範囲よりも軽くても重くてもよい。【００１７】  また図２の場合、三次元立体網目構造体１の外側が布、合成樹脂シート等のカバー２で覆われている。また、カバー２には縁部に取っ手２１が設けられているのが好ましく、さらに底面に滑り止め２２が設けられているのがよい。
【実施例１】
【００１８】  まず、三次元立体網目構造体１としてＥＶＡ樹脂を原料とし、直径０．８ｍｍの線条１１を２０００本押出成形しつつ、屈曲させ、さらに互いの線条を絡ませて接点を溶着し、厚さ１０ｃｍ、幅１００ｃｍの三次元立体網目構造の素材を成形し、これを長さ２００ｃｍに切断して、三次元立体網目構造体１とした。この三次元立体網目構造体１の目付量は１立方ｍあたり７５ｋｇであった。
【実施例２】
【００１９】  実施例１の三次元立体網目構造体１を縦５０ｃｍ、横５０ｃｍ、厚さ１０ｃｍの寸法に切断し、この三次元立体網目構造体１を合成レザー製のカバー２で覆った。また、カバー２には各縁部に運搬や設置が容易となるよう２ヶ所ずつ取っ手２１を設け、底面には使用時にずれないよう滑り止め２２を設けた。
【図面の簡単な説明】
【００２０】
【図１】  本発明衝撃吸収性マットの一例の斜視図である。
【００２１】
【図２】  本発明衝撃吸収性マットの他の例の一部断面斜視図である。
【符号の説明】
【００２２】Ａ    衝撃吸収性マット
１    三次元立体網目構造体
１１  合成樹脂線条
２    カバー
２１  取っ手
２２  滑り止め
【図１】
2011110411.tif 000003
【図２】
2011110411.tif 000004